(57)【要約】【課題】走行機体の側部に支持フレームを介して上下複数段の苗台を備える主予備苗載せ台を設けた移植機において、前記主予備苗載せ台の前後に簡易で安価な構成の副予備苗載せ台を取り付けることができるようにする。【解決手段】主予備苗載せ台６を構成する上下複数段の何れかの苗台５の前方側と後方側に、この苗台５に連続して位置した連続姿勢で前側副予備苗載せ台７と後側副予備苗載せ台７´を保持し得るように、両副予備苗載せ台７，７´を支持フレーム２５に取り付け支持した。【選択図】図２
2008212072.tif 000002
【特許請求の範囲】
【請求項１】
苗載せ台（１９）から苗を掻き取って植え付ける植付作業機（１８）を走行機体（４）の後部に昇降自在に連結すると共に、前記走行機体（４）の側部に支持フレーム（２５）を介して上下複数段の苗台（５）を備える主予備苗載せ台（６）を取り付けた移植機において、前記支持フレーム（２５）に、前記複数段の主予備苗載せ台（６）の何れかの苗台（５）の前方側に連続して位置した連続姿勢で保持し得る前側副予備苗載せ台（７）を取り付けたことを特徴とする移植機。
【請求項２】
前記支持フレーム（２５）に、前側副予備苗載せ台（７）が連続する主予備苗載せ台（６）の苗台（５）に対して、後方側に連続して位置した連続姿勢で保持し得る後側副予備苗載せ台（７´）を取り付けた請求項１に記載の移植機。
【請求項３】
前記副予備苗載せ台（７，７´）を前記連続姿勢と、支持フレーム（２５）を挟んで主予備苗載せ台（６）の反対側で、且つ当該支持フレーム（２５）に沿う格納姿勢とに姿勢変更可能に構成した請求項１または請求項２に記載の移植機。
【発明の詳細な説明】
【技術分野】
【０００１】
本発明は、走行機体の側部に、畦際から予備苗を補給することができる予備苗載せ台を備えた乗用型田植機等の移植機に関する。
【背景技術】
【０００２】
従来、乗用型田植機等の移植機においては、畦際から予備苗（マット苗）を連続的に補給する際の作業性を向上させるべく、折畳み式の予備苗載せ台を機体の側部に配設したものが知られている（例えば、特許文献１参照）。
【特許文献１】特開２００５−１７６６８０号公報（第４−６頁、図１、図８）
【発明の開示】
【発明が解決しようとする課題】
【０００３】
ところが、特許文献１の折畳み式の予備苗載せ台は、予備苗が育苗されている方形状の苗箱や、この苗箱に育苗されている予備苗を苗スクレーパで掬い取った状態のものを、予備苗載せ台の左右の外枠に軸支した複数の転動ローラ上を移動させながら、植付作業機の苗載せ台に順次予備苗を補給しようとするものであり、全体構造が複雑となりコスト高となっていた。
また、この折畳み式の予備苗載せ台は、固定苗台、固定苗台前方の可動苗台、及び固定苗台後方の可動苗台からなり、両可動苗台を固定苗台の前後端に直接折畳み可能に支持しているので、当該固定苗台の支持構造を強固に構成しなければならなかった。
【課題を解決するための手段】
【０００４】
本発明は、上記課題を解決することを目的としたものであって、苗載せ台から苗を掻き取って植え付ける植付作業機を走行機体の後部に昇降自在に連結すると共に、前記走行機体の側部に支持フレームを介して上下複数段の苗台を備える主予備苗載せ台を取り付けた移植機において、前記支持フレームに、前記複数段の主予備苗載せ台の何れかの苗台の前方側に連続して位置した連続姿勢で保持し得る前側副予備苗載せ台を取り付けたことを第１の特徴としている。
そして、前記支持フレームに、前側副予備苗載せ台が連続する主予備苗載せ台の苗台に対して、後方側に連続して位置した連続姿勢で保持し得る後側副予備苗載せ台を取り付けたことを第２の特徴としている。
更に、前記副予備苗載せ台を前記連続姿勢と、支持フレームを挟んで主予備苗載せ台の反対側で、且つ当該支持フレームに沿う格納姿勢とに姿勢変更可能に構成したことを第３の特徴としている。
【発明の効果】
【０００５】
請求項１の発明によれば、上下複数段の苗台を備える主予備苗載せ台を取り付けた支持フレームに、前記複数段の主予備苗載せ台の何れかの苗台の前方側に連続して位置した連続姿勢で保持し得る前側副予備苗載せ台を取り付けたことによって、簡単で安価な構造で主予備苗載せ台の前方側に前側副予備苗載せ台を取り付けることができ、また、この前側副予備苗載せ台から主予備苗載せ台への予備苗の移動もスムーズに行える。
そして、請求項２の発明によれば、前記支持フレームに、前側副予備苗載せ台が連続する主予備苗載せ台の苗台に対して、後方側に連続して位置した連続姿勢で保持し得る後側副予備苗載せ台を取り付けたことによって、簡単で安価な構造で主予備苗載せ台の後方に後側副予備苗載せ台を取り付けることができ、また、前側副予備苗載せ台７に続いて主予備苗載せ台６から後側副予備苗載せ台７´への予備苗の移動もスムーズに行える。
更に、請求項３の発明によれば、前記副予備苗載せ台を前記連続姿勢と、支持フレームを挟んで主予備苗載せ台の反対側で、且つ当該支持フレームに沿う格納姿勢とに姿勢変更可能に構成したので、特に主予備苗載せ台が支持フレームよりも内側（機体側）に設けられ、且つこの主予備苗載せ台のみに予備苗を載置する通常の使用状態では、副予備苗載せ台を予め格納しておけば、主予備苗載せ台に載置された予備苗を取り出す時に副予備苗載せ台が邪魔になることはない。
【発明を実施するための最良の形態】
【０００６】
次に、本発明の実施形態を図面に基づいて説明する。図１及び図２は、移植機の一例である乗用型田植機１の側面図と平面図であって、この乗用型田植機１は、左右一対の前輪２及び後輪３に支持された走行機体４を有し、その左右両側には、上下に複数段（本実施例では三段）の苗台５を備える主予備苗載せ台６を設けると共に、左右一側の主予備苗載せ台６（本実施例では左側）の中段に備える苗台５の前方側に位置して、該予苗台５に連続姿勢で保持し得る詳細は後述する前側副予備苗載せ台７を設けている。
【０００７】
そして、走行機体４の前側には、ボンネット８で覆われた図示しないエンジンを搭載すると共に、ボンネット８の後方には、ステアリングホイール９、運転操作パネル１１、及び主変速レバー１２等を備えた操縦部１３と、この操縦部１３の床面を形成するステップ１４、座席１５を支持する機体カバー１６を設けている。
【０００８】
また、走行機体４の後方には、昇降リンク機構１７を介して植付作業機１８を昇降自在に連結している。植付作業機１８は、前高後低状に傾斜して設けた苗載せ台１９と、該苗載せ台１９から苗を掻き取って植え付ける複数の植付杆２１を備えた移植装置２２と、この移植装置２２の下方には、植付け田面を整地するフロート２３等を設けているが、これらの基本的な構成は何れも従来通りであり詳細な説明を省略する。
【０００９】
そして、ボンネット８の左右両側に形成されているフロントステップ２４の下方には、
主予備苗載せ台６の支持フレーム２５を構成する走行機体４から外側方に延出させた側面視で逆Ｕ字状に曲げ形成した門型支柱２６を立ち上げている。この門型支柱２６の下部には、フラットバー２７が横設してあり、該フラットバー２７の中間部と門型支柱２６の上部中間部とを支持部材２８で連結すると共に、この支持部材２８に、所定の上下間隔で各苗台５，・・を取り付けることができるように構成している。
【００１０】
また、前側副予備苗載せ台７は、図３に示すように、予備苗載置面を構成する苗台７ａと、この苗台７ａの前後方向に平行で該苗台７ａの機体内側寄りの前部に設けた支持ボス７ｂと、主予備苗載せ台６の苗台５の前端部に係止可能な係止具７ｃを後部に備えている。一方、上述した門型支柱２６の前側支柱には、主予備苗載せ台６を構成する上下複数段の各苗台５，・・のうち、中段の苗台５の前後方向に平行な支持ボス２６ａを該中段の苗台５固設してあり、この支持ボス２６ａに挿通支持される棒状の支軸３１の先端に苗台７ａの支持ボス７ｂを嵌装した状態で、係止具７ｃの先端を主予備苗載せ台６の中段にある苗台５の前部に係止させた後、前記支持ボス７ｂを棒状の支軸３１の先端に止めボルト３２を用いて固定できるように構成している。
【００１１】
尚、前記棒状の支軸３１の基端部には、この支軸３１と共に苗台７ａが不用意に回転しないように、四角面を有する当該支軸３１の回り止め部材３１ａを設けてあり、該回り止め部材３１ａの下面を、門型支柱２６の支持部材２８に固設したストッパプレート２８ａの上面に当接させることによって、前側副予備苗載せ台７は、主予備苗載せ台６の支持フレーム２５に安定姿勢で取り付けられる。
【００１２】
即ち、上述した前側副予備苗載せ台７の支持構造によれば、この副予備苗載せ台７を簡単で安価な構造で主予備苗載せ台６の支持フレーム２５に着脱自在に支持することができると共に、上下複数段の主予備苗載せ台６の何れかの苗台５の前方側に連続して位置した連続姿勢で前側副予備苗載せ台７を保持し得るので、当該前側副予備苗載せ台７から主予備苗載せ台６への予備苗の移動もスムーズに行える。そして、前記前側副予備苗載せ台７は、簡単で安価に構成できることから植付条数が４条以下の小型の乗用型田植機にも適用可能である。
【００１３】
また、上述した副予備苗載せ台７を使わない時は、先ず主予備苗載せ台６の中段の苗台５に係止させた副予備苗載せ台７の係止具７ｃを解除し、次いで副予備苗載せ台７を支持フレーム２５の支持ボス２６ａに嵌装する支軸３１と一体に機体内側方向へ回動させた後、図４に示すＡ矢印方向、即ち副予備苗載せ台７を主予備苗載せ台６側へスライドさせることにより、図示の如く当該副予備苗載せ台７を支持フレーム２５を挟んで主予備苗載せ台６の反対側で、且つ当該支持フレーム２５に沿う格納姿勢に容易に姿勢変更することができる。
【００１４】
以上、主予備苗載せ台６の前方側に、この主予備苗載せ台６に連続して位置した連続姿勢で保持し得る前側副予備苗載せ台７を設けた実施例（第一実施例）について説明したが、図５及び図６に示すように、主予備苗載せ台６の後方側にも、該主予備苗載せ台６に連続して位置した連続姿勢で保持し得る後側副予備苗載せ台７´を設けることができるので、以下その実施例（第二実施例）について説明する。
【００１５】
尚、この第二実施例では、主予備苗載せ台６の前方側に設ける前側副予備苗載せ台７の後部には、主予備苗載せ台６の苗台５の前端部に係止可能な第一実施例のような係止具７ｃを設けずに、当該前側副予備苗載せ台７の後端を主予備苗載せ台６の苗台５の前端に載置した状態で支持できるように構成している。また、その他の前側副予備苗載せ台７の実施形態（構成）は、第一実施例の前側副予備苗載せ台７と略同一なので説明を省略する。
【００１６】
そして、主予備苗載せ台６の後方側に設ける後側副予備苗載せ台７´は、図５〜図８に示すように、予備苗載置面を構成する苗台７ａ´と、この苗台７ａ´の前後方向に平行で該苗台７ａの機体内側寄りの後部に設けた支持ボス７ｂ´を備えている。一方、門型支柱２６の後側支柱には、主予備苗載せ台６を構成する上下複数段の各苗台５，・・のうち、中段の苗台５の前後方向に平行で、且つ図示する支点Ｐ周りに回動自在な支持ボス２６ｂを設けてあり、この支持ボス２６ｂに挿通支持される棒状の支軸３１´の後端に苗台７ａ´の支持ボス７ｂ´を嵌装した状態で、当該苗台７ａ´の前端部に固設した側面視で階段状の位置決めプレート３５を主予備苗載せ台６の中段にある苗台５の後端部に当接させた後、前記支持ボス７ｂ´を棒状の支軸３１´の後端に止めボルト３２を用いて固定できるように構成している。
【００１７】
更に詳しくは、前記棒状の支軸３１´の基端部にも、この支軸３１´と共に苗台７ａ´が不用意に回転しないように、四角面を有する当該支軸３１´の回り止め部材３１ａ´を設けてあり、該回り止め部材３１ａ´の下面を、門型支柱２６の支持部材２８に固設したストッパプレート２８ａ´の上面に当接させた状態で、上述の如く止めボルト３２を用いて苗台７ａ´の支持ボス７ｂ´を支軸３１´に固定することによって、後側副予備苗載せ台７´は、主予備苗載せ台６の支持フレーム２５に安定姿勢で取り付けられる。尚、前記後側副予備苗載せ台７´は、図７にＣ矢印で示す如く支点Ｐ周りに上方に回動させることができるので、作業者が操縦部１３のステップ１４に昇降する際に邪魔にならない。
【００１８】
以上説明した後側副予備苗載せ台７´の支持構造によれば、この後側副予備苗載せ台７´を簡単で安価な構造で主予備苗載せ台６の支持フレーム２５に着脱自在に支持することができると共に、上下複数段の主予備苗載せ台６の何れかの苗台５の後方側に連続して位置した連続姿勢で後側副予備苗載せ台７´を保持し得るので、前側副予備苗載せ台７に続いて主予備苗載せ台６から後側副予備苗載せ台７´への予備苗の移動もスムーズに行える。そして、前記後側副予備苗載せ台７´も、簡単で安価に構成できることから植付条数が４条以下の小型の乗用型田植機にも適用可能である。
【００１９】
また、上述した後側副予備苗載せ台７´を使わない時は、先ず主予備苗載せ台６の中段にある苗台５の後端部と、後側副予備苗載せ台７´の前端部の位置決めプレート３５の当接を解除し、次いで後側副予備苗載せ台７´を支持フレーム２５に備える支持ボス２６ｂに嵌装する支軸３１´と一体に機体内側方向へ回動させた後、図８に示すＤ矢印方向、即ち後側副予備苗載せ台７´を主予備苗載せ台６側へスライドさせることにより、当該後側副予備苗載せ台７´を図示の如く容易に格納することができるようになっている。
【図面の簡単な説明】
【００２０】
【図１】乗用型田植機の側面図（第一実施例）。
【図２】乗用型田植機の平面図（第一実施例）。
【図３】副予備苗載せ台の構成を示す一部省略平面図（第一実施例）。
【図４】副予備苗載せ台の格納状態を示す一部省略平面図（第一実施例）。
【図５】乗用型田植機の側面図（第二実施例）。
【図６】乗用型田植機の平面図（第二実施例）。
【図７】図６におけるＢ矢視図。
【図８】副予備苗載せ台の格納状態を示す図６におけるＢ矢視図。
【符号の説明】
【００２１】
４    走行機体
５    苗台
６    主予備苗載せ台
７    前側副予備苗載せ台
７´  後側副予備苗載せ台
１８  植付作業機
１９  苗載せ台
２５  支持フレーム
【図１】
2008212072.tif 000003
【図２】
2008212072.tif 000004
【図３】
2008212072.tif 000005
【図４】
2008212072.tif 000006
【図５】
2008212072.tif 000007
【図６】
2008212072.tif 000008
【図７】
2008212072.tif 000009
【図８】
2008212072.tif 000010